(57)【要約】【課題】印刷イメージのプレビュー表示の利便性を向上させることができるラベル作成装置を提供する。【解決手段】作成するラベルＬの印刷イメージを表示する表示手段を備え、表示手段は、印刷イメージをラベルの長手方向に沿って一方向に移動させながら表示させる第１表示手段と、印刷イメージを一方向とは逆方向に移動させながら表示させる第２表示手段と、を有する。また、第１表示手段は、印刷イメージを一方向に加速しながら移動させて表示させる第１加速手段５５、および印刷イメージを一方向に所定の間隔でスキップ表示させる第１スキップ手段５４を有し、第２表示手段は、印刷イメージを逆方向に加速しながら移動させて表示させる第２加速手段５５、および印刷イメージを逆方向に所定の間隔でスキップ表示する第２スキップ手段５４を有する。【選択図】図３
2010017880.tif 000002
【特許請求の範囲】
【請求項１】
作成するラベルの印刷イメージを表示する表示手段を備え、
前記表示手段は、
前記印刷イメージを前記ラベルの長手方向に沿って一方向に移動させながら表示させる第１表示手段と、
前記印刷イメージを前記一方向とは逆方向に移動させながら表示させる第２表示手段と、を有することを特徴とするラベル作成装置。
【請求項２】
前記印刷イメージの移動速度を設定する速度設定手段をさらに備え、
前記第１表示手段および前記第２表示手段は、
設定された前記移動速度に基づいて、前記印刷イメージを移動させることを特徴とする請求項１に記載のラベル作成装置。
【請求項３】
前記第１表示手段は、
前記印刷イメージを前記一方向に加速しながら移動させて表示させる第１加速手段を有し、
前記第２表示手段は、
前記印刷イメージを前記逆方向に加速しながら移動させて表示させる第２加速手段を有することを特徴とする請求項１または２に記載のラベル作成装置。
【請求項４】
前記第１表示手段は、
前記印刷イメージを、前記一方向に所定の間隔でスキップ表示させる第１スキップ手段をさらに有し、
前記第２表示手段は、
前記印刷イメージを、前記逆方向に所定の間隔でスキップ表示させる第２スキップ手段をさらに有することを特徴とする請求項１ないし３のいずれか１項に記載のラベル作成装置。
【請求項５】
前記表示手段は、
前記印刷イメージを拡大表示する拡大表示手段と、
前記印刷イメージを縮小表示する縮小表示手段と、をさらに有することを特徴とする請求項１ないし４のいずれか１項に記載のラベル作成装置。
【請求項６】
前記印刷イメージの拡大表示および縮小表示の表示倍率を設定する表示倍率設定手段をさらに備え、
前記拡大表示手段および前記縮小表示手段は、
設定された前記表示倍率に基づいて、前記印刷イメージの拡大表示または縮小表示を行うことを特徴とする請求項５に記載のラベル作成装置。
【発明の詳細な説明】
【技術分野】
【０００１】
本発明は、作成したラベルの印刷イメージを表示することができるラベル作成装置に関するものである。
【背景技術】
【０００２】
従来、作成したラベルの印刷イメージを表示画面に表示する（以下、「プレビュー表示」と称す。）ことができるテープ印刷装置が知られている。このテープ印刷装置では、作成したラベルの印刷イメージ全体を、表示画面の一端から他端へ一方向に（ラベルの排出方向に）流れるように移動させる。これにより、ユーザは作成したラベルを印刷する前に、表示画面上で、このラベルの出来上がりのイメージを確認することができ、ラベルの印刷の失敗を防止することができる（例えば、非特許文献１参照）。
【非特許文献１】「テプラ」ＰＲＯ  ＳＲ８２８  取扱説明書、第２版（１９９８年７月発行）、ｐ．５３
【発明の開示】
【発明が解決しようとする課題】
【０００３】
ところで、上記のテープ印刷装置では、プレビュー表示に際し、ラベルの印刷イメージを一方向にしか移動させられない。このため、プレビュー表示で確認したいエリアを行き過ぎてしまった場合、表示を戻すことができず、当該エリアを再確認するためには、全てのプレビュー表示が終わるまで待つか、あるいはプレビュー表示を中止してから再度プレビュー表示をしなければならない。
特に、長いラベルを作成した時、確認したいエリアがラベルの後半に位置するような場合には、当該エリアを再確認するために時間が掛かってしまうため、ユーザにとって使い勝手が良いものではなかった。また、ラベルの内容が複雑であり（例えば、行数が多い、装飾が複雑等）、再確認する頻度が多くなることが想定される場合においても使い勝手が良いものではなかった。
【０００４】
本発明は、上記の問題点に鑑みたものであり、印刷イメージのプレビュー表示の利便性を向上させることができるラベル作成装置を提供することを目的とする。
【課題を解決するための手段】
【０００５】
本発明のラベル作成装置は、作成するラベルの印刷イメージを表示する表示手段を備え、表示手段は、印刷イメージをラベルの長手方向に沿って一方向に移動させながら表示させる第１表示手段と、印刷イメージを一方向とは逆方向に移動させながら表示させる第２表示手段と、を有することを特徴とする。
【０００６】
この構成によれば、ラベル作成装置は、第１表示手段および第２表示手段により、作成するラベルの印刷イメージを表示画面に対して双方向に移動させて、当該印刷イメージを表示（プレビュー表示）することができる。これにより、プレビュー表示で確認したいエリアを行き過ぎてしまった場合でも、印刷イメージの表示を戻して当該エリアを即座に再確認することができ、プレビュー表示の利便性を向上させることができる。
特に、長いラベルにおいて、確認したいエリアがラベルの後半に位置するような場合、当該エリアを再確認する際に、従来のように全てのプレビュー表示が終わるまで待つか、あるいはプレビュー表示を中止してから再度プレビュー表示をする必要がなくなるため、ユーザにとって使い勝手が良いプレビュー表示機能を提供することができる。
【０００７】
本発明のラベル作成装置において、印刷イメージの移動速度を設定する速度設定手段をさらに備え、第１表示手段および第２表示手段は、設定された移動速度に基づいて、印刷イメージを移動させることが好ましい。
【０００８】
この構成によれば、印刷イメージの移動速度を変更することができる。これにより、例えば、印刷イメージ全体を素早く確認したいユーザは移動速度を早くし、内容をじっくり確認したいユーザは移動速度を遅くする等、ユーザのニーズに合った移動速度を設定することができ、利便性がよい。
【０００９】
本発明のラベル作成装置において、第１表示手段は、印刷イメージを一方向に加速しながら移動させて表示させる第１加速手段を有し、第２表示手段は、印刷イメージを逆方向に加速しながら移動させて表示させる第２加速手段を有することが好ましい。
【００１０】
この構成によれば、印刷イメージを加速しながら移動させて表示することができる。これにより、確認したいエリア（位置）まで素早く移動させることができるため、利便性が良い。
【００１１】
本発明のラベル作成装置において、第１表示手段は、印刷イメージを、一方向に所定の間隔でスキップ表示させる第１スキップ手段をさらに有し、第２表示手段は、印刷イメージを、逆方向に所定の間隔でスキップ表示させる第２スキップ手段をさらに有することが好ましい。
【００１２】
この構成によれば、印刷イメージを所定の間隔でスキップ表示することができる。これにより、確認したいエリア（あるいは、確認したいエリアの近く）を素早く表示することができるため、利便性が良い。なお、スキップ表示する間隔は、例えば、画面単位、段落単位、長さ単位等が考えられる。
【００１３】
本発明のラベル作成装置において、表示手段は、印刷イメージを拡大表示する拡大表示手段と、印刷イメージを縮小表示する縮小表示手段と、をさらに有することが好ましい。
【００１４】
この構成によれば、プレビュー表示における印刷イメージを拡大表示または縮小表示することができる。これにより、ユーザの好みのサイズでプレビュー表示することができる。
【００１５】
本発明のラベル作成装置において、プレビュー表示中の印刷イメージの拡大表示および縮小表示の表示倍率を設定する表示倍率設定手段をさらに備え、拡大表示手段および縮小表示手段は、設定された表示倍率に基づいて、印刷イメージの拡大表示または縮小表示を行うことが好ましい。
【００１６】
この構成によれば、表示倍率を設定し、設定した表示倍率に基づいて印刷イメージの拡大表示および縮小表示をすることができる。これにより、ユーザの好みに応じた表示倍率で拡大表示および縮小表示ができるため、利便性が良い。
【発明を実施するための最良の形態】
【００１７】
以下、添付の図面に基づいて、本発明の一実施形態に係るラベル作成装置について説明する。図１は、本実施形態に係るラベル作成装置１の開閉蓋４を開いた状態の外観斜視図である。図１に示すようにラベル作成装置１は、装置ケース２により外装が形成され、装置ケース２の前部上面には各種入力キーを備えたキーボード３が配置されると共に、後部上面には、その左部に開閉蓋４が取り付けられ、その右部には表示画面５が配設されている。開閉蓋４の内側にはテープカートリッジＣを装着するためのカートリッジ装着部６が窪入形成されており、テープカートリッジＣは、開閉蓋４を開放した状態でカートリッジ装着部６に着脱可能に装着される。また、開閉蓋４にはこれを閉じた状態でテープカートリッジＣの装着／非装着を視認するための覗き窓７が形成されている。
【００１８】
キーボード３には、文字キー群３ａ、および各種動作モード等を指定するための機能キー群３ｂが配列されている。文字キー群３ａは、ＪＩＳ配列に基づいたフルキー構成であり、操作するキー数の増加を抑えるためのシフトキーを備えるなど、一般のワードプロセッサ等と同様である。
【００１９】
また、機能キー群３ｂには、印刷実行を指示するための［印刷］キー１１、カーソル移動（スクロール）操作を行うためのカーソルキー（［↓］，［↑］，［←］，［→］）１２、選択候補の選択および確定操作を行うための[選択]キー１３、選択候補の選択をキャンセルする[削除]キー１４、入力情報を変換する[変換]キー１５、装置の環境設定を行うための[環境設定]キー１６、印刷イメージをプレビュー表示する[プレビュー]キー１７、などが含まれる。なお、これらのキー入力は、一般的なキーボードと同様に、キー入力毎に個別にキーを設けても良いし、シフトキー等と組み合わせてより少ない数のキーを用いて入力するようにしても良い。
【００２０】
表示画面５は、液晶ディスプレイであり、ユーザがキーボード３を用いて入力した入力情報に基づく編集結果、および当該編集結果に基づいて生成された印刷データ等を確認したりする際に用いられる。また、表示画面５は、印刷イメージのプレビューを表示する際に用いられる（詳細は後述する）。
【００２１】
装置ケース２の左側部には、カートリッジ装着部６と外部とを連通するテープ排出口２１が形成され、このテープ排出口２１には、送り出した印刷テープＴを切断するためのテープカッタ２２が臨んでいる。そして、テープ排出口２１から印刷済みの印刷テープＴが所定長さだけ送り出され、送りを一旦停止させた状態で、この印刷済みの印刷テープＴをテープカッタ２２により切断することにより、短冊状のラベルＬ（図５参照）を作成する。なお、切断処理については、自動カットをするまたはしないの選択肢によりカッタモータ２３（図２参照）の駆動を設定できる。
【００２２】
一方、カートリッジ装着部６には、ヘッドカバー２５内にサーマルタイプの印刷ヘッド２６が内蔵されたヘッドユニット２４と、印刷ヘッド２６に対峙するプラテン駆動軸２７と、後述のインクリボンＲを巻き取る巻き取り駆動軸２８と、後述のテープリール３２の位置決め突起２９とを備えている。また、カートリッジ装着部６の下側には、プラテン駆動軸２７および巻き取り駆動軸２８を回転させるテープ送りモータ３０（図２参照）が内蔵されている。
【００２３】
テープカートリッジＣは、カートリッジケース３１内部の上部中央部に、一定の幅（４ｍｍ〜４８ｍｍ程度）の印刷テープＴを巻回したテープリール３２と、右下部にインクリボンＲを巻回したリボンリール３３とを収容して構成されており、印刷テープＴとインクリボンＲは同じ幅で構成されている。また、テープリール３２の左下部には前記ヘッドユニット２４を覆うヘッドカバー２５に差し込まれるための貫通孔３４が形成されている。さらに、貫通孔３４に差し込まれたヘッドユニット２４は印刷テープＴとインクリボンＲとが重なる部分に対応して、前記プラテン駆動軸２７に嵌合されて回転駆動するプラテンローラ３５が配置されている。一方、前記リボンリール３３に近接してリボン巻き取りリール３６が配置され、リボンリール３３から繰り出されたインクリボンＲは、ヘッドカバー２５を周回するように配置され、リボン巻き取りリール３６に巻き取られるようになっている。
【００２４】
テープカートリッジＣがカートリッジ装着部６に装着されると、ヘッドカバー２５に貫通孔３４が、位置決め突起２９にテープリール３２の中心孔が、巻き取り駆動軸２８にリボン巻き取りリール３６の中心孔がそれぞれ差し込まれ、印刷テープＴおよびインクリボンＲを挟み込んで印刷ヘッド２６がプラテンローラ３５に当接して印刷が可能になる。その後、ユーザが表示画面５の編集結果を確認しながらキーボード３により所望のテキスト（文字、数字、記号、簡易図形等のキャラクタ）や画像を入力し、印刷を指示すると、ラベル作成装置１は、テープ送りモータ３０によりテープカートリッジＣから印刷テープＴを繰り出し、印刷ヘッド２６の発熱素子を選択的に発熱させることにより印刷テープＴに所望の印刷を行う。印刷テープＴの印刷済み部分はテープ排出口２１から随時外部に送り出され、印刷を完了すると、テープ送りモータ３０は、余白分を含むテープ長さの位置まで印刷テープＴの送りを行った後、その送りを停止する（その後、切断処理に移行する）。
【００２５】
一方、印刷テープＴは、裏面に粘着剤層が形成された記録テープＴａと、この粘着剤層により記録テープＴａに貼り付けられた剥離テープＴｂとから構成されている。そして、印刷テープＴは、記録テープＴａを外側にし、かつ剥離テープＴｂを内側にしてロール状に巻回されてカートリッジケース３１内に収容されている。また、印刷テープＴは、テープ種別（テープ幅、テープの地色、地模様、材質（質感）など）が異なる複数種のものが用意されており、各カートリッジケース３１には、このうち１種類の印刷テープＴおよびインクリボンＲが収容されている。また、カートリッジケース３１の裏面にはテープカートリッジＣの種別を特定する複数の孔（図示省略）が設けられている。また、複数の孔に対応してカートリッジ装着部６には、これらを検出するテープ識別センサ（マイクロスイッチ等）３７（図２参照）が、複数設けられており、このテープ識別センサ３７により複数の孔の状態を検出することで、テープ種別を判別できるようになっている。
【００２６】
次に、図２の制御ブロック図を参照し、ラベル作成装置１の制御構成について説明する。ラベル作成装置１は、中央処理装置であるＣＰＵ（Central Processing Unit）４１、ＲＡＭ（Random Access Memory）４２、ＲＯＭ（Read Only Memory）４３、表示画面５、キーボード３、カッタモータ２３、テープカッタ２２、テープ送りモータ３０、印刷ヘッド２６、およびテープ識別センサ３７を備えている。また、ＣＰＵ４１は、ＲＯＭ４３、表示画面５、キーボード３、カッタモータ２３、テープ送りモータ３０、印刷ヘッド２６、およびテープ識別センサ３７とバス４４を介して接続されている。
【００２７】
ＲＡＭ４２は、ＣＰＵ４１と直接接続されており、ＣＰＵ４１が各種制御を行う際のワークエリアとして用いられる。ＲＯＭ４３は、ＣＰＵ４１が各種制御を行うための制御プログラムおよび制御データを記憶している。
【００２８】
キーボード３は、各種情報を入力するための情報入力手段、並びに各種指定および設定を行うための指定・設定手段として機能する。また、機能キー群３ｂの一部（[プレビュー]キー１７やカーソルキー１２等）を用いて、プレビュー表示の開始やプレビュー表示に関する操作を行う操作手段としても機能する（詳細は後述する）。
【００２９】
表示画面５は、編集画面５ａおよびプレビュー画面５ｂを有し、所定のキー操作によって相互に切り替えることができる。編集画面５ａは、ユーザがテキスト等を入力・編集した結果を表示する。一方、プレビュー画面５ｂは、印刷イメージを移動（スクロール）させて、当該印刷イメージのプレビュー表示をする。また、プレビュー画面５ｂでは、プレビュー表示に際し、印刷イメージを所定の間隔でスキップ表示したり、印刷イメージを加速しながらスクロール表示したり、あるいは印刷イメージを拡大（または縮小）して表示する（詳細は後述する）。
【００３０】
カッタモータ２３は、テープカッタ２２と接続され、切断手段として機能する。また、テープ送りモータ３０および印刷ヘッド２６は、印刷テープＴ上に印刷を行うための印刷手段として機能する。上記のとおり、印刷ヘッド２６およびテープ識別センサ３７は、カートリッジ装着部６に設けられ、テープ識別センサ３７は、テープカートリッジＣに収容された印刷テープＴの種別を検出する。
【００３１】
ここで、図３を参照して、プレビュー表示に関する機能について説明する。なお、図３は、プレビュー表示の各機能、機能の内容および各機能を実行するための操作手段の一覧を示す図である。図３に示すように、ラベル作成装置１は、プレビュー表示の機能として、プレビュー開始機能５１（第１表示手段）、プレビュー終了機能５２、一時停止機能５３、スキップ表示機能５４、加速表示機能５５、拡大表示機能５６（拡大表示手段）、および縮小表示機能５７（縮小表示手段）を有している。
【００３２】
プレビュー開始機能５１は、印刷イメージのプレビュー表示を開始（実行）する機能であり、[プレビュー]キー１７に割り当てられている。この[プレビュー]キー１７が押されると、ラベル作成装置１は、編集画面５ａからプレビュー画面５ｂに表示を切り替え、印刷イメージを画面の右側から左側（以下、「順方向」とする）に向かって所定の速度（定速）でスクロールし、画面全体にプレビュー表示する。なお、印刷イメージの移動の速度（以下、「スクロール速度」と称す。）は、後述する「プレビュー表示設定」で設定可能であり、ラベル作成装置１は、当該設定に基づいた速度で印刷イメージを移動させる。
【００３３】
プレビュー終了機能５２は、印刷イメージのプレビュー表示を終了する機能であり、[削除]キー１４に割り当てられている。プレビュー表示中（実行中）に、[削除]キー１４が押されると、ラベル作成装置１は、プレビュー表示を終了し、プレビュー画面５ｂから編集画面５ａに表示を切り換える（プレビュー実行直前の編集画面５ａに戻る）。
【００３４】
一時停止機能５３は、プレビュー表示中の印刷イメージの移動を一時停止する機能であり、[変換]キー１５に割り当てられている。プレビュー表示中（実行中）に、[変換]キー１５が押されると、当該[変換]キー１５が押されている間、ラベル作成装置１は、印刷イメージの移動を一時停止する。また、[変換]キー１５が離されると、ラベル作成装置１は、印刷イメージの移動を再開する（順方向に一時停止動作前の速度で移動を再開する）。
【００３５】
スキップ表示機能５４は、プレビュー表示中の印刷イメージを所定の間隔でスキップ表示する機能であり、[←]キー１２および[→]キー１２に割り当てられている。プレビュー表示中に、[←]キー１２が押されると、ラベル作成装置１は、印刷イメージを順方向に所定の間隔だけスキップし、このスキップした位置から、順方向に当初の速度（[←]キー１２が押される前の速度）で印刷イメージのスクロールを再開する（第１スキップ手段）。
【００３６】
一方、プレビュー表示中（実行中）に、[→]キー１２が押されると、ラベル作成装置１は、印刷イメージを順方向とは逆の方向に（以下、「逆方向」とする）所定の間隔だけスキップし、このスキップした位置から、順方向に当初の速度（[→]キー１２が押される前の速度）で印刷イメージのスクロールを再開する（第２スキップ手段）。このスキップ表示機能５４により、印刷イメージを確認したいエリア（あるいは、確認したいエリアの近く）を素早く表示することができるため、利便性が良い。なお、スキップ表示の間隔は、後述する「プレビュー表示設定」で設定可能であり、ラベル作成装置１は、当該設定に基づいた間隔で印刷イメージをスキップ表示する。
【００３７】
加速表示機能５５は、プレビュー表示中の印刷イメージを加速しながら移動させる機能であり、[←]キー１２および[→]キー１２を押し続ける（以下、この状態を「長押し」と称す。）ことで実行される。プレビュー表示中に、[←]キー１２が長押しされると、当該[←]キー１２が長押しされている間、ラベル作成装置１は、印刷イメージを順方向に加速しながら移動させる。そして、[←]キー１２が離されると、ラベル作成装置１は、加速を停止し、当初の速度（長押しされる前の速度）で順方向に印刷イメージの移動を再開する（第１加速手段）。
【００３８】
一方、プレビュー表示中に、[→]キー１２が長押しされると、当該[→]キー１２が長押しされている間、ラベル作成装置１は、印刷イメージを逆方向に加速しながら移動させる。そして、[→]キー１２が離されると、ラベル作成装置１は、加速を停止し、当初の速度（長押しされる前の速度）で順方向に印刷イメージの移動を再開する（第２加速手段）。この加速表示機能５５により、印刷イメージの確認したい位置まで素早く移動させることができるため、利便性が良い。
【００３９】
拡大表示機能５６は、プレビュー表示中の印刷イメージを拡大表示する機能であり、[↑]キー１２に割り当てられている。ラベル作成装置１は、プレビュー表示中に[↑]キー１２が押される度に、所定の表示倍率に基づいて印刷イメージを拡大表示する。また、印刷イメージが複数行で形成されている場合、拡大表示中に[シフト]キー（図示省略）と[↑]キー１２（または[↓]キー１２）を押すことで、印刷イメージの表示を行単位で切り替えることができる。例えば、複数行で形成されている印刷イメージの拡大表示では、一度に（１画面に）印刷イメージの全ての行を表示することができない。このような時、拡大表示中に、[シフト]キーと[↑]キー１２（または[↓]キー１２）を押すことで、現時点でプレビュー画面５ｂに表示されていない行（現時点で表示されている行の上行または下行に位置する行）の印刷イメージに切り替えることができる。なお、拡大表示では、プレビュー画面５ｂ上の左上に位置する印字対象（文字や装飾等）の左上隅を基準として印刷イメージを拡大表示する。
【００４０】
縮小表示機能５７は、拡大表示中の印刷イメージを縮小表示する機能であり、[↓]キー１２に割り当てられている。ラベル作成装置１は、拡大表示中に[↓]キー１２が押される度に、所定の表示倍率に基づいて拡大表示された印刷イメージを縮小表示する。これら拡大表示機能５６および縮小表示機能５７により、ユーザは自分の好みのサイズでプレビュー表示することができる。なお、上述の表示倍率は、後述する「プレビュー表示設定」で設定可能であり、ラベル作成装置１は、当該設定に基づいた表示倍率で印刷イメージを拡大表示または縮小表示する。
【００４１】
次に、図４ないし図６を参照して、「プレビュー表示設定」について説明する。なお、図４は、プレビュー表示設定の一覧を説明するものである。また、図５および図６は、プレビュー表示設定の各設定に基づき印刷イメージをプレビュー表示した様子を説明するものである。また、図５および図６のプレビュー画面５ｂでは、１行で形成される印刷イメージについては１画面に３文字分の印刷イメージをプレビュー表示でき、２行で形成される印刷イメージについては１画面に６文字分×２行の印刷イメージをプレビュー表示でき、４行で形成される印刷イメージについては１画面に１２文字分×４行の印刷イメージがプレビュー表示できるものとする。また、図５および図６において、数字を四角で囲ったマークＭは、各文字列（各入力行）が何行目に位置するかを示す行頭マークを表している。
【００４２】
図４に示すように、「プレビュー表示設定」は、環境設定メニュー（[環境設定]キー１６の押下）で設定することができ、「スクロール速度設定（速度設定手段）」、「スキップ間隔設定」および「表示倍率設定（表示倍率設定手段）」の選択候補を有している。
【００４３】
「スクロール速度設定」は、プレビュー表示に際し、印刷イメージを移動させる速度を設定（変更）するものである。「スクロール速度設定」は、予め定められた基準となる速度である「通常速度」と、当該「通常速度」を基準に、その速度を２倍から５倍の間で変更することができる「２倍速」、「３倍速」、「４倍速」および「５倍速」を有している（図４参照）。そして、ラベル作成装置１は、設定（選択）された速度に基づいて、印刷イメージを移動させる。これにより、印刷イメージ全体を素早く確認したいユーザはスクロール速度を早くし、内容をじっくり確認したいユーザはスクロール速度を遅くする等、ユーザのニーズに合ったスクロール速度を設定することができ、利便性がよい。なお、この速度変更の倍率はあくまでも一例であり、これに限るものではない。
【００４４】
「スキップ間隔設定」は、プレビュー表示の印刷イメージをスキップ表示させる場合のスキップの間隔を設定（変更）するものであり、「画面単位」、「段落単位」および「長さ単位」の選択候補を有している（図４参照）。
【００４５】
「画面単位」は、印刷イメージを１画面単位でスキップさせる選択候補である。例えば、図５（ａ）に示すように、「ＡＢＣＤＥ」という入力に対する印刷イメージをプレビュー表示する場合、印刷イメージ「ＡＢ」がプレビュー画面５ｂに表示されている状態で（画面Ｄ０１）、「←」キー１２（スキップ表示機能５４）が押されると、ラベル作成装置１は、印刷イメージ「ＡＢ」を順方向に１画面分スキップし、「Ｃ」以降に続く１画面分の印刷イメージ「ＣＤＥ」をプレビュー画面５ｂに表示する（画面Ｄ０２）。また、画面Ｄ０２の状態で、[→]キー１２が押されると、逆方向に１画面分スキップし、プレビュー画面５ｂは画面Ｄ０１の状態になる。
【００４６】
なお、矢印Ａは、印刷イメージのスクロール方向を示しており、印刷イメージは常に矢印Ａ方向にスクロールしている（但し、図５および図６では、便宜上、静止した状態で操作した様子を示している）。また、点線で囲まれた領域Ｂは、現時点でプレビュー画面５ｂに表示されていない領域を示している（以降の図についても同様とする）。
【００４７】
「段落単位」は、印刷イメージを段落単位でスキップさせる選択候補である。なお、「段落」とは、テープ幅に積み重ねて印刷される１以上の行の集まりをいい、行数や文字サイズ、その他の印刷効果を指定する単位となるものである（図５（ｂ）では、ラベルＬのように、１つの文章の中に２つの段落が構成される）。
【００４８】
例えば、図５（ｂ）に示すように、１段落目の１行目に「ＡＢＣＤＥ」が入力され、２段落目の１行目に「あいうえお」、２行目に「かきくけこ」が入力されている場合、一段落目の印刷イメージ「ＡＢ」がプレビュー画面５ｂに表示されている状態で（画面Ｄ０３）、「←」キー１２が押されると、ラベル作成装置１は、２段落目の先頭からの印刷イメージ「あいうえお（１行目）」および「かきくけこ（２行目）」をプレビュー画面５ｂに表示する（画面Ｄ０４）。また、画面Ｄ０４の状態で、[→]キー１２を押すと、１段落目の先頭「Ａ」からの印刷イメージ「ＡＢＣ」をプレビュー画面５ｂに表示し（画面Ｄ０５）、画面Ｄ０５の状態（１段落目を表示している状態）で[←]キー１２を押すと、画面Ｄ０４のように２段落目の先頭からの印刷イメージを表示する。
【００４９】
「長さ単位」は、「１ｃｍ」、「３ｃｍ」、「５ｃｍ」および「８ｃｍ」の選択候補を有しており、設定された長さ単位で印刷イメージをスキップさせる（図４参照）。この長さは、プレビュー画面５ｂ上の長さではなく、実際の印刷テープＴの長さに基づいている。例えば、図５（ｃ）に示すように、スキップ間隔が「３ｃｍ」に設定され、「ＡＢＣＤＥ」が入力されている場合、印刷イメージ「ＡＢＣ」がプレビュー画面５ｂに表示されている状態で（画面Ｄ０６）、「←」キー１２が押されると、ラベル作成装置１は、順方向に３ｃｍ分（実際の印刷テープＴの３ｃｍ分。ここでは、２文字分に相当）スキップし、印刷イメージ「ＣＤＥ」をプレビュー画面５ｂに表示する（画面Ｄ０７）。また、画面Ｄ０７の状態で、[→]キー１２が押されると、ラベル作成装置１は、逆方向に３ｃｍ分スキップし、画面Ｄ０６の状態となる。なお、本実施形態では、「長さ単位」におけるスキップ間隔を、「１ｃｍ」、「３ｃｍ」、「５ｃｍ」および「８ｃｍ」の４つの候補から選択するようしているが、あくまでも一例であり、これに限るものではない。
【００５０】
「表示倍率設定」は、プレビュー表示中の印刷イメージを拡大／縮小表示する場合の表示倍率を設定（変更）するものであり、「拡大しない」、「行単位」および「２／４／６／８倍」の選択候補を有している（図４参照）。「拡大しない」は、[↑]キー１２による拡大表示を行わない（結果的に、[↓]キー１２による縮小表示も行わない）。
【００５１】
「行単位」は、印刷イメージが複数行で形成されている場合、印刷イメージを各行単位で拡大表示する。例えば、図６（ａ）に示すように、印刷イメージとして１行目に「ＡＢＣＤＥＦ」、２行目に「ＧＨＩＪＫＬ」が表示されている状態で（画面Ｄ０８）、[↑]キー１２（拡大表示機能５６）が押されると、ラベル作成装置１は、１行目の印刷イメージ「ＡＢＣ」をプレビュー画面５ｂに拡大表示する（画面Ｄ０９）。この画面Ｄ０９の状態で、[シフト]＋[↓]キー１２が押されると、ラベル作成装置１は、２行目の印刷イメージ（１行下の印刷イメージ）「ＧＨＩ」を拡大表示する（画面Ｄ１０）。また、画面Ｄ１０の状態で、[シフト]＋[↑]キー１２が押下されると、ラベル作成装置１は、１行目の印刷イメージ（１行上の印刷イメージ）「ＡＢＣ」を拡大表示する（画面Ｄ０９）。さらに、画面Ｄ０９および画面Ｄ１０の状態で、[↓]キー１２（縮小表示機能５７）が押されると、ラベル作成装置１は、拡大された印刷イメージを元のサイズの印刷イメージに縮小表示する（画面Ｄ０８）。
【００５２】
「２／４／６／８倍」は、[↑]キー１２が押下される度に、表示中の印刷イメージを、元の印刷イメージの２倍、４倍、６倍、８倍と順に拡大表示する。例えば、図６（ｂ）のように、４行の文字列が入力されている状態で（画面Ｄ１１）、[↑]キー１２が押されると、ラベル作成装置１は、元の印刷イメージを２倍に拡大した印刷イメージを表示する（画面Ｄ１２）。また、画面Ｄ１２の状態で、再度、[↑]キー１２が押されると、ラベル作成装置１は、元の印刷イメージを４倍に拡大した印刷イメージを表示する（画面Ｄ１３）。また、拡大表示中（画面Ｄ１２および画面Ｄ１３の状態）に、[↓]キー１２が押下される度に、拡大表示された印刷イメージを１つ前のサイズに縮小表示する（つまり、プレビュー画面５ｂに表示されている拡大表示された印刷イメージを、現時点の表示倍率の１つ前の表示倍率で表示する）。なお、画面Ｄ１３において、上述の「行単位」と同様に、[シフト]＋[↑]キー１２（または、[シフト]＋[↓]キー１２）を押下することで、行単位で表示を切り替えることも可能である。
【００５３】
この表示倍率設定により、ユーザは自分の好みに応じた表示倍率で拡大表示および縮小表示ができるため、利便性が良い。なお、上述の表示倍率の選択候補は、あくまでも一例であり、これに限るものではない。例えば、選択候補として「２／３／４／５倍」を定義し、[↑]キー１２が押下される度に、印刷イメージを２倍、３倍、４倍、５倍に拡大表示することも可能である。
【００５４】
以上のように、本実施形態によれば、ラベル作成装置１は、作成するラベルＬの印刷イメージを表示画面５（プレビュー画面５ｂ）に対して双方向に移動させてプレビュー表示することができる。これにより、プレビュー表示で確認したいエリア（位置）を行き過ぎてしまった場合でも、印刷イメージの表示を戻して当該エリアを即座に再確認することができ、プレビュー表示の利便性を向上させることができる。
【００５５】
特に、長いラベルＬにおいて、確認したいエリアがラベルＬの後半に位置するような場合、当該エリアを再確認する際に、従来のように全てのプレビュー表示が終わるまで待つか、あるいはプレビュー表示を一旦中止してから再度プレビュー表示を行う必要がなくなるため、ユーザにとって使い勝手が良いプレビュー表示機能を提供することができる。
【００５６】
なお、本実施形態におけるプレビュー表示の各機能に対する各キーの割り当ては、あくまでも一例であり、これに限るものではない。
【００５７】
また、加速表示機能５５（または、スキップ表示機能５４）における逆方向へのスクロール表示機能（または、逆方向へのスキップ表示機能）を用い、印刷イメージを順方向に定速で移動させる場合と同様に、印刷イメージを逆方向に移動させることも可能である。
【００５８】
また、「プレビュー表示設定」において、印刷イメージの加速表示を有効にするか無効にするかを設定する項目を設けても良い。
【００５９】
また、上述した実施例によらず、ラベル作成装置１の装置構成や処理の各工程等について、本発明の要旨を逸脱しない範囲で、適宜変更も可能である。
【図面の簡単な説明】
【００６０】
【図１】本発明の一実施形態に係るラベル作成装置の開蓋状態における外観斜視図である。
【図２】本発明の一実施形態に係るラベル作成装置の制御ブロック図である。
【図３】プレビュー表示の各機能、機能の内容および各機能を実行するための操作手段の一覧を説明する図である。
【図４】プレビュー表示設定における設定項目一覧を説明する図である。
【図５】プレビュー表示設定のスキップ間隔設定に基づき印刷イメージをプレビュー表示した様子を説明する図である。
【図６】プレビュー表示設定の表示倍率設定に基づき印刷イメージをプレビュー表示した様子を説明する図である。
【符号の説明】
【００６１】
１…ラベル作成装置  ５…表示画面  ５ｂ…プレビュー画面  ５１…プレビュー開始機能  ５４…スキップ表示機能  ５５…加速表示機能  ５６…拡大表示機能  ５７…縮小表示機能  Ｌ…ラベル
【図１】
2010017880.tif 000003
【図２】
2010017880.tif 000004
【図３】
2010017880.tif 000005
【図４】
2010017880.tif 000006
【図５】
2010017880.tif 000007
【図６】
2010017880.tif 000008